(57)【要約】【課題】水管の出口側の高温加熱管内壁面に析出するスケール成分の付着を抑制させる水冷媒熱交換器を提供する。【解決手段】水流路を構成する水管１と冷媒流路を構成する冷媒管２とを伝熱可能に密着させると共に、水の流通方向と冷媒の流通方向とを対向させた水冷媒熱交換器において、水管１の水出口８側には、水管１の水入口３側から流入してきた水を略垂直下方に流通させる直管部分を有した高温加熱管５と、高温加熱管５を流通した水を水出口８に導く導出管９と、高温加熱管５と導出管９とを連通させるスケール貯留体７とを設け、スケール貯留体７には、高温加熱管５及び導出管９の接続位置よりも低い位置に、スケールが堆積するスケール堆積部６を備えたので、高温加熱管５内壁面に析出するスケール成分はその自重と水流によりスケール貯留体７のスケール堆積部６に堆積され、高温加熱管５内壁面に析出するスケール成分の付着を抑制させることができる。【選択図】  図１
2008190780.tif 000002
【特許請求の範囲】
【請求項１】
水流路を構成する水管と冷媒流路を構成する冷媒管とを伝熱可能に密着させると共に、水の流通方向と冷媒の流通方向とを対向させた水冷媒熱交換器において、前記水管の水出口側には、前記水管の水入口側から流入してきた水を略垂直下方に流通させる直管部分を有した高温加熱管と、該高温加熱管を流通した水を水出口に導く導出管と、前記高温加熱管と前記導出管とを連通させるスケール貯留体とを設け、前記スケール貯留体には、前記高温加熱管及び前記導出管の接続位置よりも低い位置に、スケールが堆積するスケール堆積部を備えたことを特徴とする水冷媒熱交換器。
【請求項２】
前記導出管のスケール貯留体に対する接続位置の高さを、前記高温加熱管の接続位置以上としたことを特徴とする請求項１記載の水冷媒熱交換器。
【請求項３】
前記高温加熱管の流路断面積は、前記高温加熱管より上流側における水管の流路断面積より大きくしたことを特徴とする請求項１または２記載の水冷媒熱交換器。
【発明の詳細な説明】
【技術分野】
【０００１】
この発明は、ヒートポンプ式給湯機等に用いられる水冷媒熱交換器に関するものである。
【背景技術】
【０００２】
従来よりこの種のヒートポンプ式給湯機用の水冷媒熱交換器においては、水温の上昇に伴い、水中に溶解しているスケール成分（例えば、炭酸カルシウム）が析出して、水が流通する水管内壁面に付着・蓄積することがあり、それにより水管壁面の伝熱性能が低下に伴う熱交換性能の低下や水管内の流路閉塞を引き起こす等の不具合があった。そこで水管の出口側であって水温がスケール成分が析出する温度（例えば、７０℃）以上となる高温部分の水管の流路断面積を、当該部分より上流側における水管の流路断面積よりも大きくすることで、スケール成分に対する熱交換性能の低下を抑制し、水温がスケール成分が析出する温度以上となる高温部分の水管内の流路閉塞を抑制するものがあった。（特許文献１参照。）
【特許文献１】特開２００３−９７８９８号公報
【発明の開示】
【発明が解決しようとする課題】
【０００３】
ところでこの従来の水冷媒熱交換器では、水管の出口側であって水温がスケール成分が析出する温度以上となる高温部分は水平に設置されているので、当該部分の流路断面積を大きくしたとしても当該部分の水管内壁面に付着するスケール成分は排出されることなく蓄積し、熱交換性能が低下するおそれや水管内を閉塞するおそれがあり、長期の詰まり対策と言えるものではなかった。
【課題を解決するための手段】
【０００４】
この発明は上記課題を解決するために、特に請求項１ではその構成を、水流路を構成する水管と冷媒流路を構成する冷媒管とを伝熱可能に密着させると共に、水の流通方向と冷媒の流通方向とを対向させた水冷媒熱交換器において、前記水管の水出口側には、前記水管の水入口側から流入してきた水を略垂直下方に流通させる直管部分を有した高温加熱管と、該高温加熱管を流通した水を水出口に導く導出管と、前記高温加熱管と前記導出管とを連通させるスケール貯留体とを設け、前記スケール貯留体には、前記高温加熱管及び前記導出管の接続位置よりも低い位置に、スケールが堆積するスケール堆積部を備えたものとした。
【０００５】
又請求項２では、前記導出管のスケール貯留体に対する接続位置の高さを、前記高温加熱管の接続位置以上であるものとした。
【０００６】
又請求項３では、前記高温加熱管の流路断面積は、前記高温加熱管より上流側における水管の流路断面積より大きくするものとした。
【発明の効果】
【０００７】
この発明の請求項１によれば、水管の出口側に、水管の水入口側から流入してきた水を略垂直下方に流通させる直管部分を有した高温加熱管を設けたことで、水温がスケール成分が析出する温度以上となる高温加熱管の管内壁面に析出するスケール成分をスケール成分の自重と水流により下方に押し流すことができ、さらに押し流されたスケール成分は、高温加熱管と導出管との間の熱交換に関与しないスケール貯留体のスケール堆積部に堆積されるので、高温加熱管内が析出したスケール成分により閉塞されるのを長期的に防ぎ、かつ高温加熱管のところでの熱交換性能の低下を抑制することができるものである。
【０００８】
又請求項２によれば、導出管のスケール貯留体に対する接続位置の高さを、高温加熱管の接続位置以上としたことで、スケール貯留体内では水は導出管が接続された方向に向かって流れ、スケール成分はその自重からスケール堆積部の方向に流れるので、水の流れる方向とスケール成分の流れる方向を異ならせることができ、うまくスケール成分をスケール堆積部に堆積させることができるものである。
【０００９】
又請求項３によれば、水温がスケール成分が析出する温度以上となる高温加熱管の流路断面積を、高温加熱管より上流側における水管の流路断面積より大きくしたことで、たとえスケール成分が高温加熱管の管内壁面に付着したとしても、高温加熱管内の水流路が閉塞してしまうまでの時間を長くすることができるものである。
【発明を実施するための最良の形態】
【００１０】
次にこの発明の一実施形態を図１に基づき説明する。
この一実施形態では、ヒートポンプ式給湯機の二酸化炭素冷媒やフロン冷媒等の冷媒と貯湯タンクの水あるいは給水そのものとの間で熱交換する水冷媒熱交換器を例にとって説明するものである。
【００１１】
１は水流路を構成する水管、２は冷媒流路を構成する冷媒管で、水管１は水管１の水入口３を有する螺旋状に巻回された螺旋状水管４と、螺旋状水管４を流通してきた水が略垂直下方に流通する直管部分を有した高温加熱管５と、高温加熱管５から押し流されてくるスケール成分を堆積させるスケール堆積部６を有したスケール貯留体７と、水管１の水出口８を有する導出管９とで構成される。
本実施形態では高温加熱管５の下流端部はスケール貯留体７の側面に接続され、導出管９はスケール貯留体７の上面に接続されているものであり、スケール成分を堆積させるスケール堆積部６は高温加熱管５の接続位置より低い位置の空間である。また、冷媒管２は冷媒管２の冷媒入口１０及び直線状かつ冷媒が略垂直上方に流通する直管部分を有した高温冷媒管１１と、冷媒管２の冷媒出口１２を有する螺旋状に巻回された螺旋状冷媒管１３とで構成されているものである。
【００１２】
ここで、螺旋状水管４はつる巻き螺旋状に巻回され、その外側に螺旋状水管４の外周に伝熱可能に密着するように螺旋状冷媒管１３がつる巻き螺旋状に巻回されて形成されており、高温冷媒管１１は高温加熱管５に沿ってこの高温加熱管５の管軸と平行に伝熱可能に密着するように形成されているものである。冷媒と水との間には各管が二重の隔壁となり、何れか一方に万が一漏れが生じたとしても、他方に混じることがなく安全である。
【００１３】
冷媒管２の冷媒入口１０は、ヒートポンプ回路の冷媒圧縮機の出口（図示せず）と連通されており、圧縮機から吐出された冷媒は冷媒入口１０から高温冷媒管１１、螺旋状冷媒管１３の順に流れ、給湯用の被加熱水は水入口３から螺旋状水管４、高温加熱管５の順に流れる。そのため、冷媒と水とが対向流で熱交換し、さらに伝熱可能に密着した螺旋状水管４と螺旋状冷媒管１３のところでは同じ向きへ螺旋状に巻回されているため、冷媒と水との熱交換が連続的となるため熱交換効率が向上する。
【００１４】
なお、螺旋状水管４は螺旋軸方向に扁平しており、螺旋状水管４同士の接触面積を少なくしつつ螺旋状冷媒管１３と接触する面の伝熱面積を大きくしているものである。
【００１５】
次に、この一実施形態の作用について説明すれば、水温がスケール成分（例えば、炭酸カルシウム）を析出する温度（例えば、７０℃）以上となる部分には、水が略垂直下方に流通する直管部分を有した高温加熱管５を形成したことで、高温加熱管５の管内壁面に析出するスケール成分は水流とスケール成分自身の自重によりスケール貯留体７側に流されるので、高温加熱管５内が析出したスケール成分により閉塞されるのを長期的に防ぐことができるものである。さらに、高温加熱管５のところでの熱交換性能の低下を抑制することができるので、結果として従来品よりも製品寿命を増すことができるものである。ここで、高温加熱管５の下流端部はスケール貯留体７の側面に接続され、導出管９はスケール貯留体７の上面に接続されているので、スケール貯留体７内では、実線の矢印で示されるように水は導出管９が接続された方向に向かって流れ、スケール成分は点線の矢印で示されるようにその自重からスケール堆積部６の方向に流れるので、水の流れる方向とスケール成分の流れる方向を異ならせることができ、うまくスケール成分をスケール堆積部６に堆積させることができるものである。
【００１６】
それに加えて、高温加熱管５の流路断面積は高温加熱管５より上流側の螺旋状水管４の流路断面積よりも大きくし、スケール付着許容量を増やしたので、たとえ高温加熱管５の管内壁面に析出するスケール成分が下方に押し流されずに付着したとしても、高温加熱管５内の水流路が閉塞してしまうまでの時間を長くすることができるものである。
【００１７】
また、高温加熱管５と導出管９のスケール貯留体７に対する接続位置は、図１に示すようなスケール貯留体７の側面に高温加熱管５を接続し、スケール貯留体７の上面に導出管９を接続するものだけでなく、図２に示すようにスケール貯留体７の上面の別々のところに高温加熱管５及び導出管９を接続したり、図３に示すようにスケール貯留体７の側面で接続位置の高さが同じところに高温加熱管５及び導出管９を接続したりしてもよいが、導出管９のスケール貯留体７に対する接続位置の高さを、高温加熱管５の接続位置より高い位置にした方が、スケール成分はスケール成分自身の自重により下向きに流れ、水は上向きに流れ、水とスケール成分は互いに逆方向に流れることになるので、よりスケール成分をスケール堆積部６に堆積させることが可能となるものである。なお、高温加熱管５及び導出管９のスケール貯留体７に対する接続位置が高ければ高い程、スケール堆積部６の容積は大きくなるので、より多くのスケール成分を堆積させることができるものである。ここで、図２及び図３中の実線矢印と点線矢印は先に説明したように、実線矢印は水の流れを示し、点線矢印はスケール成分の流れを示すものとする。
【００１８】
さらに、図４に示すようにスケール貯留体７の下部に、スケール堆積部６に堆積したスケール成分を排出するスケール排出口１４と、このスケール排出口１４に嵌合する凸状の着脱可能な蓋体１５を設け、定期的に蓋体１５を外しスケール堆積部６に堆積したスケール成分を排出・除去することで、高温加熱管５内の水流路が閉塞してしまうまでの時間をさらに長くすることができるものである。図４中の点線矢印は先に説明したように、スケール成分の流れを示すものとする。
【００１９】
本発明は上記の一実施形態だけに限定されるものではなく、螺旋状水管４を内側にしその外側に螺旋状冷媒管１３を螺旋状に巻回させる構成や、螺旋軸方向に螺旋状水管４と螺旋状冷媒管１３を交互に重ねた二重螺旋状としてもよいものである。
【００２０】
また、この一実施形態では高温加熱管５より上流側における水管１は螺旋状のものとしているが、この構造に限定されることなく、水管１と冷媒管２とが伝熱可能に密着して水を加熱可能な構成としていればよいものである。
【００２１】
また、先に説明した水冷媒熱交換器はヒートポンプ式給湯機用としているが、例えばヒートポンプ式温水暖房機の水冷媒熱交換器としても利用可能である。
【図面の簡単な説明】
【００２２】
【図１】本発明の一実施形態の水冷媒熱交換器の説明図。
【図２】本発明の他の実施形態の水冷媒熱交換器の説明図。
【図３】本発明の他の実施形態の水冷媒熱交換器の説明図。
【図４】スケール堆積部６よりスケール成分を排出・除去する状態の説明図で、            （ａ）蓋体１５を締めた状態図。            （ｂ）蓋体１５を外した状態図。
【符号の説明】
【００２３】
１  水管
２  冷媒管
３  水入口
５  高温加熱管
６  スケール堆積部
７  スケール貯留体
８  水出口
９  導出管
【図１】
2008190780.tif 000003
【図２】
2008190780.tif 000004
【図３】
2008190780.tif 000005
【図４】
2008190780.tif 000006